(57)【要約】本発明は、ボウリング競技用の手首保護帯に関するものであって、腕着用板と中間板とを連結する軸と凹型部および台とを備えた調節ピンと、中間板の上面に取り付けるケースの内部にボタンとスプリングとで昇降することができるように設けた昇降板と前記昇降板の案内台とで滑り運動を行う移動口とを構成して、ボタンを押したときに昇降板が下降され前記した調節ピンの拘束から離れて中間板を回動状態になるようにし、移動口が昇降板の案内台に形成した掛かり歯の拘束から離れられるようになって手首を動かして手の甲の支え板の切曲棒の先端が移動口を調節して手の甲の支え板を投球に適合した水平と垂直角度を同時に調節する。【選択図】図１
2009534154.tif 000002
【特許請求の範囲】
【請求項１】
腕着用板１０の先端に中間板１１と手の甲の支え板１２をピンで連結してなるものにおいて、
軸２１と凹型部２２および台２３とを備えた調節ピン２０と、
前記調節ピン２０で腕着用板１０に連結される中間板１１の上面にボルトで取り付けられるものであって、
上面に目盛りが示された湾曲長孔３１と多数のボタン孔３３および両側面に各２つの昇降溝３５を形成したケース３０と、
前記ボタン孔３３を介してケース３０の内部に貫通されるものとして、溝４２とひねり台４３とを備えた脚４１を４つの角の下方に長く形成したボタン４０と、
前記ケース３０の内部で脚４１の下段部に連結されて設けられるものであって、
多数の固定孔５２と溝移動部５３とを備えた水平角度の調節孔５１と両側辺に各２つの昇降ガイド５８を形成した昇降板５０とを構成し、
前記水平角度の調節孔５１に調節ピン２０を貫通させて軸２１を湾曲長孔３１を介して外部に露出されるようにし、
前記昇降板５０を連結した各ひねり台４３に昇降スプリング８０を連結して中間板１１の上面にボルトでケース３０を取り付けるように構成し、
ボタン４０を押して昇降板５０を下降させ水平角度の調節孔５１を調節ピン２０の制御から離れるようにして、手の甲の支え板１２の水平角度を調節することができることを特徴とする
ボウリング競技用の手首保護帯。
【請求項２】
昇降板５０に形成した溝５５の内側に形成した掛かり歯５６、５６’を備えた案内台５７、５７’と、
前記案内台５７、５７’の間で滑る作動が行われて上面に突起６２と左右の側面に移動掛かり歯６３、６３’とを形成してなる移動口６０を構成し、
移動口６０を案内台５７、５７’の間に直進スプリング７０の弾性を受けるように設けてボタン４０を押し、昇降板５０を滑降させて掛かり歯５６、５６’が移動掛かり歯６３、６３’'から離脱され、移動口６０を掛かり歯５６、５６’の制御から離れるようにして、移動口６０を投球に適当な位置に移動させ、手の甲の支え板１２の垂直角度を調節することができることを特徴とする
請求項１に記載のボウリング競技用の手首保護帯。
【発明の詳細な説明】
【技術分野】
【０００１】
本発明は、ボウリング競技で重量体であるボウリングボールを安定的に投球するための手首保護帯に関するものであって、これをさらに詳細に説明すると、手首にバンドで着用する腕着用板の先端に中間板と該中間板の両端にピンで手の甲の支え板を連結してなるものにおいて、前記腕着用板と中間板とを連結する軸と凹型部および台とを備えた調節ピンと、前記中間板の上面に取り付けるケースにボタンによって昇降される昇降板と、前記昇降板の昇降によって停止と滑り運動を行う移動口とを設け、ボタンを押したときに昇降板が下降されて調節部の拘束から離れ、中間板を水平方向へ回動されるようにし、昇降板の下降によって移動口が停止された状態で前後進が可能となるようにし、着用した手の甲の支え板を垂直方向に調節して手の甲の支え板を投球に適合した垂直と水平角度を同時に調節するボウリング競技用の手首保護帯に関するものである。
【背景技術】
【０００２】
一般的にバンドで腕に着用する腕着用板の先端に左右方向へ回動されるように連結した中間板に別途のバンドで手に結ぶ手の甲の支え板を垂直方向へ回動されるように連結し、腕着用板に対して中間板の水平角度を調節するための水平角度調節口と、手の甲の支え板の垂直角度を調節するための垂直角度の調節口とを別途で製作して中間板の上面にともに装着したものが知られていて、手首に着用してボウリングの競技中に初投球と再投球によって着用した状態で手の甲の支え板の水平と垂直角度を調節するものである。
【０００３】
前記従来の発明は、手の甲の支え板の水平角度を調節するために、着用していない他の手で水平角度の調節口を操作して中間板の回動によって手の甲の支え板の水平角度を調節した後、垂直角度の調節口を操作して手の甲の支え板の垂直角度を調節するものであるので、角度の調節作業がわずらわしくて難しいし、水平角度の調節口と垂直角度の調節口とを別途で作って使用するものであるので、その構成が複雑で体積が大きいので、製作の費用が高くかかるし、重量も重いなどの問題点があった。
【０００４】
したがって、本発明は、前記の従来の問題点を解決するために着眼したものであって、体積が小さくて簡便な構成で製作され、１つのボタンで腕着用板に対する中間板と手の甲の支え板との水平と垂直角度を簡単に調節することができるボウリング競技用の手首保護帯を提供することにその目的がある。
【発明の開示】
【発明が解決しようとする課題】
【０００５】
前記記載された本発明の目的を提供するためのボウリング競技用の手首保護帯は、腕着用板と中間板とを連結する軸と凹型部および台とを備えた調節ピンと、中間板の上面に取り付けるケースの内部にボタンとスプリングとで昇降することができるように設けた昇降板と前記昇降板の案内台とで滑り運動を行う移動口とを構成して、ボタンを押したときに昇降板が下降され前記した調節ピンの拘束から離れて中間板を回動状態になるようにし、移動口が昇降板の案内台に形成した掛かり歯の拘束から離れられるようになって手首を動かして手の甲の支え板の切曲棒の先端が移動口を調節して手の甲の支え板を投球に適合した水平と垂直角度を同時に調節するものである。
【課題を解決するための手段】
【０００６】
腕着用板１０の先端に中間板１１と手の甲の支え板１２をピンで連結してなるものにおいて、軸２１と凹型部２２および台２３とを備えた調節ピン２０と、前記調節ピン２０で腕着用板１０に連結される中間板１１の上面にボルトで取り付けられるものであって、上面に目盛りが示された湾曲長孔３１と多数のボタン孔３３および両側面に各２つの昇降溝３５を形成したケース３０と、前記ボタン孔３３を介してケース３０の内部に貫通されるものとして、溝４２とひねり台４３とを備えた脚４１を４つの角の下方に長く形成したボタン４０と、前記ケース３０の内部で脚４１の下段部に連結されて設けられるものであって、多数の固定孔５２と溝移動部５３とを備えた水平角度の調節孔５１と両側辺に各２つの昇降ガイド５８を形成した昇降板５０とを構成し、前記水平角度の調節孔５１に調節ピン２０を貫通させて軸２１を湾曲長孔３１を介して外部に露出されるようにし、前記昇降板５０を連結した各ひねり台４３に昇降スプリング８０を連結して中間板１１の上面にボルトでケース３０を取り付けるように構成し、ボタン４０を押して昇降板５０を下降させ水平角度の調節孔５１を調節ピン２０の制御から離れるようにして、手の甲の支え板１２の水平角度を調節することができる。
【０００７】
昇降板５０に形成した溝５５の内側に形成した掛かり歯５６、５６’を備えた案内台５７、５７’と、前記案内台５７、５７’の間で滑る作動が行われて上面に突起６２と左右の側面に移動掛かり歯６３、６３’とを形成してなる移動口６０を構成し、移動口６０を案内台５７、５７’の間に直進スプリング７０の弾性を受けるように設けてボタン４０を押し、昇降板５０を滑降させて掛かり歯５６、５６’が移動掛かり歯６３、６３’から離脱され、移動口６０を掛かり歯５６、５６’の制御から離れるようにして、移動口６０を投球に適当な位置に移動させ、手の甲の支え板１２の垂直角度を調節することができる。
【発明の効果】
【０００８】
以上のように、本発明はボタン４０を押して放す作業だけで手の甲の支え板１２を投球に適当な垂直と水平角度を同時に調節することができるものであるので、従来の垂直角度の調節口と水平角度調節口の別途のレバーを操作して調節することよりは角度の調節が非常に容易であってその構成が簡便であるので、製作においてコストが低廉に掛かるのみならず、重量も軽いので投球動作に妨害を与えない効果を表すものである。
【発明を実施するための最良の形態】
【０００９】
以下、添付された図面によって詳細に説明する。
【００１０】
図１は、本発明の分解斜視図であって、図２は、本発明の組み立て断面図であり、図３は、図２のＡ−Ａ線断面図であって、図４は図３の作動状態図、図５は、本発明を取り付けた手首保護帯の斜視図であって、本発明によって、手の甲の支え板の垂直と水平方向とを調節した状態を破断線と１点鎖線で示した斜視図であって、これを参照してみると、腕着用板１０と中間板１１とを通常のピンで連結して腕着用板１０に対して中間板１１が水平方向である左右へ回動されるようにし、前記中間板１１に手の甲の支え板１２を垂直方向である上下へ回動されるようにピン１３で連結してなるものにおいて、前記した腕着用板１０に中間板１１を左右へ回動することができるように連結する通常のピンを本発明では調節ピン２０で連結するが、前記本発明の調節ピン２０は上段には軸２１を形成し、中間には調節ピン２０の本体よりは細くした凹型部２２と該凹型部２２の下には台２３を形成してなるものである。
【００１１】
このようになされた調節ピン２０は図２に示されたように、中間板１１に穿孔した孔１１ａの上に台２３が載せられるように調節ピン２０の下段部を貫通させた後、腕着用板１０に開けた孔１０ａに調節ピン２０の下段部を挿入してワッシャーとボルトで腕着用板１０に調節ピン２０を固定し中間板１１を腕支え板１０に対して水平方向である左右に回動することができるように連結する。
【００１２】
図面のうち符号３０は、本発明の本体となるケースを示したものであって、前記したケース３０は上面に目盛りが表示され、調節ピン２０の軸２１の太さと一致する幅の湾曲長孔３１と、さらに、目盛りを表示した幅が狭くて長い直線状の調節孔３２および４つのボタン孔３３を穿孔し、前記調節孔３２の内段側の底面にスプリング支え３４とケース３０の左右側面にはそれぞれ２つの昇降溝３５を形成する。
【００１３】
前記のようになされたケース３０は昇降溝３５が形成された側面の下段を切曲してからなった切曲片３６に孔を開けてボルトで中間板１１の上面に取り付ける。
【００１４】
また、符号４０はボタンを示したものであって、前記ボタン４０は平板の４つの角の底面毎に脚４１を長く形成し、前記各脚４１は下段に溝４２と、該溝４２の下には脚４１の幅より若干狭いひねり台４３を備え、各脚４１をケース３０のボタン孔３３に貫通させる。
【００１５】
前記ケース３０の内部に貫通された脚４１に昇降板５０を連結することにおいて、前記昇降板５０の一側には前記したケース３０に穿孔された湾曲長孔３１と上下一致されるように水平角度の調節孔５１とを穿孔し、前記水平角度調節孔５１の形態は調節ピン２０の太さと同じ内径の固定孔５２と凹型部２２を通るようにした溝移動部５３をまるでひさごのような形態に連続配列して穿孔する。
【００１６】
また、昇降板５０にはケース３０のボタン孔３３よりは狭いため、ひねり台４３の幅と一致した脚固定孔５４を穿孔する。
【００１７】
また、昇降板５０に形成した溝５５の内側に多数の掛かり歯５６、５６’を備えた案内台５７、５７’と、昇降板５０の左右の辺にはそれぞれ２つの昇降ガイド５８を形成する。
【００１８】
前記案内台５７、５７’で滑る作動を行うように挿入する移動口６０は、内空間６１の上方側に突起６２と、左右側面の上方に移動掛かり歯６３、６３’とを形成して移動掛かり歯６３、６３’を掛かり歯５６、５６’に掛るように移動口６０を溝５５を介して案内台５７、５７’の間ですべるように挿入する。
【００１９】
そして、直進スプリング７０を移動口６０とスプリング支え３４との間に装着して直進スプリング７０の弾性によって移動口６０が外部に押されるようにする。
【００２０】
このように、移動口６０を案内台５７、５７’の間に挿入した昇降板５０をケース３０の内部に貫通した脚４１の下段に装着するが、昇降ガイド５８を昇降溝３５に昇降案内されるように挿入し、昇降板５０の各脚固定孔５４に各脚４１の下段のひねり台４３を貫通させて脚４１の下段を脚固定孔５４の上面に密着されるようにした状態で、ひねり台４３を強制に捩じり、昇降板５０を脚４１の下段に連結するものであって、この際に、移動口６０の突起６２は、目盛りが示された調節孔３２を貫通して外部に露出される。
【００２１】
前記のように昇降板５０を内蔵したケース３０を中間板１１の上面にボルトで取り付けるときに、中間板１１の上面に突出された調節ピン２０を昇降板５０の水平角度の調節孔５１を貫通させて軸２１をケース３０の湾曲長孔３１を貫通させて外部に露出されるようにした状態で、ケース２１を中間板１１の上面に乗せてボルトでケース３０を中間板１１に取り付ける。
【００２２】
前記ケース３０を中間板１１に取り付けた外形は図５のとおりであって、この際には手の甲の支え板１２の上に取り付けた切曲棒１４の上段が移動口６０の外面に触れるようになり、腕着用板１０に対する手の甲の支え板１２の垂直角度が定められる。
【００２３】
このようになされた本発明はボウリング競技を行うときに、投球する手首にバンドを用いて腕着用板１０を着用し、手の甲の支え板１２は手の甲を覆った状態でバンドで手の甲に着用し、重量体であるボウリングボールを容易に持つことができるようにしたものである。
【００２４】
競技中、投球する方向に応じて手首の角度を調節する場合には、着用していないほかの手でボタン４０を押して調節するものであって、ボタン４０を押すと、昇降板５０が下降するようになり、移動口６０はその底面が中間板１１の上面に接するものであるので、そのままの状態になって昇降板５０だけ下降するようになる。
【００２５】
前記昇降板５０の下降によって掛かり歯５６、５６’が下降され、移動口６０の移動掛かり歯６３、６３’と分離されて移動口６０が掛かり歯５６、５６’の制御を受けないようになり、手首を動かして切曲棒１４で移動口６０を押し入れたり、直進スプリング７０の弾性で移動口６０を外部に押されて出るようにして、丁度良い投球角度で移動口６０を停止させ、図６に１点鎖線で示されたように、手の甲の支え板１２の垂直角度を調節するものである。
【００２６】
また、昇降板５０の下降によって溝移動部５３が調節ピン２０の凹型部２２まで下降され、水平角度の調節孔５１が調節ピン２０の制御から離れるようになり、この際にも手首を動かして中間板１１を投球に適当な水平方向に調節した後、押していたボタン４０を放すと昇降スプリング８０の弾性で昇降板５０が上昇されて調節された水平角度に位置した水平角度の調節孔５１の固定孔５２に調節ピン２０が挿入され、結局、昇降板５０が調節ピン２０の制御を受けて手首を用いて調節された水平角度が図６に破断線で示されたように、手の甲の支え板１２の水平角度を調節するようになる。
【００２７】
前記のように投球に適当に調節された水平と垂直角度を調節孔３２を貫通した突起６２と、湾曲長孔３１を貫通した軸２１がある目盛りを記憶し、今後に記憶された目盛りによって手の甲の支え板１２の水平と垂直角度を容易に調節することができる。
【図面の簡単な説明】
【００２８】
【図１】図１は、本発明の分解斜視図である。
【図２】図２は、本発明の組立て縦断面図である。
【図３】図３は、図２のＡ−Ａ線断面図である。
【図４】図４は、図３の作動の例示を示した断面図である。
【図５】図５は、本発明を手首保護帯に取り付けて角度を調節した模様を１点鎖線と破断線で示した例示図である。
【図１】
2009534154.tif 000003
【図２】
2009534154.tif 000004
【図３】
2009534154.tif 000005
【図４】
2009534154.tif 000006
【図５】
2009534154.tif 000007
【国際調査報告】
2009534154.tif 000008
2009534154.tif 000009